(57)【特許請求の範囲】
【請求項１】
イヤホンへのボタンアクションを検出するための回路であって、前記回路は、
第１の端部及び第２の端部が設けられた第１の抵抗と、
第１の入力端、第２の入力端、及び出力端が設けられたコンパレータであって、前記コンパレータの前記第１の入力端は、前記第１の抵抗の前記第１の端部に接続され、前記コンパレータの前記第２の入力端は、前記第１の抵抗の前記第２の端部に接続されており、前記第１の入力端と前記第２の入力端との電圧差が第１の閾値より大きい場合、前記コンパレータの前記出力端に制御信号を出力する、コンパレータと、
前記第１の抵抗の前記第１の端部に接続された電源とを備え、
前記イヤホンは、
第１の端部及び第２の端部を備える第２の抵抗であって、前記イヤホンが前記回路に接続されたとき、前記第２の抵抗の前記第１の端部は前記第１の抵抗の前記第２の端部に接続される、第２の抵抗と、
第１の端部及び第２の端部を備えるマイク（ＭＩＣ）であって、前記ＭＩＣの前記第１の端部は、前記第２の抵抗の前記第１の端部に接続され、前記ＭＩＣの前記第２の端部は接地されている、ＭＩＣと、
ボタンであって、前記ボタンの２つの端部はそれぞれ、前記ＭＩＣの前記第２の端部及び前記第２の抵抗の前記第２の端部に接続されており、前記ボタンが押下されたとき、前記ボタンの前記２つの端部は電気的に接続される、ボタンとを備え、
前記回路は、
前記制御信号を受信し、前記制御信号に対応する機能を実行するプロセッサと、
第１のアナログ・デジタル変換器（ＡＤＣ）であって、前記第１のＡＤＣの入力端は、前記第１の抵抗の前記第１の端部に接続され、前記第１のＡＤＣの出力端は、前記プロセッサに接続されている、第１のＡＤＣと、
第２のＡＤＣであって、前記第２のＡＤＣの入力端は、前記第１の抵抗の前記第２の端部に接続され、前記第２のＡＤＣの出力端は、前記プロセッサに接続されている、第２のＡＤＣとを更に備え、
前記プロセッサは、更に、前記第１のＡＤＣの出力値及び前記第２のＡＤＣの出力値を読み出し、前記第１のＡＤＣの前記出力値を前記第２のＡＤＣの前記出力値と比較し、前記第１のＡＤＣの前記出力値と前記第２のＡＤＣの前記出力値との差が第２の閾値より大きい場合、前記電源は前記イヤホンに充電中であると判断する、
回路。
【請求項２】
イヤホンへのボタンアクションを検出するための回路であって、前記回路は、
第１の端部及び第２の端部が設けられた第１の抵抗と、
第１の入力端、第２の入力端、及び出力端が設けられたコンパレータであって、前記コンパレータの前記第１の入力端は、前記第１の抵抗の前記第１の端部に接続され、前記コンパレータの前記第２の入力端は、前記第１の抵抗の前記第２の端部に接続されており、前記第１の入力端と前記第２の入力端との電圧差が第１の閾値より大きい場合、前記コンパレータの前記出力端に制御信号を出力する、コンパレータと、
前記第１の抵抗の前記第１の端部に接続された電源とを備え、
前記イヤホンは、
第１の端部及び第２の端部を備える第２の抵抗であって、前記イヤホンが前記回路に接続されたとき、前記第２の抵抗の前記第１の端部は前記第１の抵抗の前記第２の端部に接続される、第２の抵抗と、
第１の端部及び第２の端部を備えるマイク（ＭＩＣ）であって、前記ＭＩＣの前記第１の端部は、前記第２の抵抗の前記第１の端部に接続され、前記ＭＩＣの前記第２の端部は接地されている、ＭＩＣと、
ボタンであって、前記ボタンの２つの端部はそれぞれ、前記ＭＩＣの前記第２の端部及び前記第２の抵抗の前記第２の端部に接続されており、前記ボタンが押下されたとき、前記ボタンの前記２つの端部は電気的に接続される、ボタンとを備え、
前記回路は、
前記制御信号を受信し、前記制御信号に対応する機能を実行するプロセッサと、
第１のアナログ・デジタル変換器（ＡＤＣ）であって、前記第１のＡＤＣの入力端は、前記第１の抵抗の前記第１の端部に接続され、前記第１のＡＤＣの出力端は、前記プロセッサに接続されている、第１のＡＤＣと、
第２のＡＤＣであって、前記第２のＡＤＣの入力端は、前記第１の抵抗の前記第２の端部に接続され、前記第２のＡＤＣの出力端は、前記プロセッサに接続されている、第２のＡＤＣとを更に備え、
前記プロセッサは、更に、前記第１のＡＤＣの出力値及び前記第２のＡＤＣの出力値を読み出し、前記第１のＡＤＣの前記出力値を前記第２のＡＤＣの前記出力値と比較し、前記第１のＡＤＣの前記出力値と前記第２のＡＤＣの前記出力値との差が第２の閾値より大きい場合、前記イヤホンはノイズ低減イヤホンであると判断する、
回路。
【請求項３】
イヤホン接続口を介してイヤホンに接続可能な端末であって、前記端末は、
第１の端部及び第２の端部が設けられた第１の抵抗と、
第１の入力端、第２の入力端、及び出力端が設けられたコンパレータであって、前記コンパレータの前記第１の入力端は、前記第１の抵抗の前記第１の端部に接続され、前記コンパレータの前記第２の入力端は、前記第１の抵抗の前記第２の端部に接続されており、前記第１の入力端と前記第２の入力端との電圧差が第１の閾値より大きい場合、前記コンパレータの前記出力端に制御信号を出力する、コンパレータと、
前記第１の抵抗の前記第１の端部に接続された電源とを備え、
前記イヤホンは、
第１の端部及び第２の端部を備える第２の抵抗であって、前記イヤホンが前記イヤホン接続口を介して前記端末に接続されたとき、前記第２の抵抗の前記第１の端部は、前記第１の抵抗の前記第２の端部に接続される、第２の抵抗と、
第１の端部及び第２の端部を備えるマイク（ＭＩＣ）であって、前記ＭＩＣの前記第１の端部は、前記第２の抵抗の前記第１の端部に接続され、前記ＭＩＣの前記第２の端部は接地されている、ＭＩＣと、
ボタンであって、前記ボタンの２つの端部はそれぞれ、前記ＭＩＣの前記第２の端部及び前記第２の抵抗の前記第２の端部に接続されており、前記ボタンが押下されたとき、前記ボタンの前記２つの端部は電気的に接続される、ボタンとを備え、
前記端末は、
前記制御信号を受信し、前記制御信号に対応する機能を実行するプロセッサと、
第１のアナログ・デジタル変換器（ＡＤＣ）であって、前記第１のＡＤＣの入力端は、前記第１の抵抗の前記第１の端部に接続され、前記第１のＡＤＣの出力端は、前記プロセッサに接続されている、第１のＡＤＣと、
第２のＡＤＣであって、前記第２のＡＤＣの入力端は、前記第１の抵抗の前記第２の端部に接続され、前記第２のＡＤＣの出力端は、前記プロセッサに接続されている、第２のＡＤＣとを更に備え、
前記プロセッサは、更に、前記第１のＡＤＣの出力値及び前記第２のＡＤＣの出力値を読み出し、前記第１のＡＤＣの前記出力値を前記第２のＡＤＣの前記出力値と比較し、前記第１のＡＤＣの前記出力値と前記第２のＡＤＣの前記出力値との差が第２の閾値より大きい場合、前記電源は前記イヤホンに充電中であると判断する、
端末。
【請求項４】
イヤホン接続口を介してイヤホンに接続可能な端末であって、前記端末は、
第１の端部及び第２の端部が設けられた第１の抵抗と、
第１の入力端、第２の入力端、及び出力端が設けられたコンパレータであって、前記コンパレータの前記第１の入力端は、前記第１の抵抗の前記第１の端部に接続され、前記コンパレータの前記第２の入力端は、前記第１の抵抗の前記第２の端部に接続されており、前記第１の入力端と前記第２の入力端との電圧差が第１の閾値より大きい場合、前記コンパレータの前記出力端に制御信号を出力する、コンパレータと、
前記第１の抵抗の前記第１の端部に接続された電源とを備え、
前記イヤホンは、
第１の端部及び第２の端部を備える第２の抵抗であって、前記イヤホンが前記イヤホン接続口を介して前記端末に接続されたとき、前記第２の抵抗の前記第１の端部は、前記第１の抵抗の前記第２の端部に接続される、第２の抵抗と、
第１の端部及び第２の端部を備えるマイク（ＭＩＣ）であって、前記ＭＩＣの前記第１の端部は、前記第２の抵抗の前記第１の端部に接続され、前記ＭＩＣの前記第２の端部は接地されている、ＭＩＣと、
ボタンであって、前記ボタンの２つの端部はそれぞれ、前記ＭＩＣの前記第２の端部及び前記第２の抵抗の前記第２の端部に接続されており、前記ボタンが押下されたとき、前記ボタンの前記２つの端部は電気的に接続される、ボタンとを備え、
前記端末は、
前記制御信号を受信し、前記制御信号に対応する機能を実行するプロセッサと、
第１のアナログ・デジタル変換器（ＡＤＣ）であって、前記第１のＡＤＣの入力端は、前記第１の抵抗の前記第１の端部に接続され、前記第１のＡＤＣの前記出力端は、前記プロセッサに接続されている、第１のＡＤＣと、
第２のＡＤＣであって、前記第２のＡＤＣの入力端は、前記第１の抵抗の前記第２の端部に接続され、前記第２のＡＤＣの出力端は、前記プロセッサに接続されている、第２のＡＤＣとを更に備え、
前記プロセッサは、更に、前記第１のＡＤＣの出力値及び前記第２のＡＤＣの出力値を読み出し、前記第１のＡＤＣの前記出力値を前記第２のＡＤＣの前記出力値と比較し、前記第１のＡＤＣの前記出力値と前記第２のＡＤＣの前記出力値との差が第２の閾値より大きい場合、前記イヤホンはノイズ低減イヤホンであると判断する、
端末。
【発明の詳細な説明】
【技術分野】
【０００１】
本発明の複数の実施形態は複数の回路検出技術に関し、特に、イヤホンへのボタンアクション（ｂｕｔｔｏｎ  ａｃｔｉｏｎ）を検出するための回路、端末、及びイヤホンに関する。
【背景技術】
【０００２】
現在、全ての普通のイヤホンには、音楽鑑賞中に歌を切り替えるため、又は会話を目的とした呼び出しに答えるために使用されるボタンが設けられている。通常、ほとんどのボタンは、複数のイヤホンのマイク（ＭＩＣ）線を短絡することによって、すなわち、ボタンとＭＩＣとを並列に接続することによって、複数の回路において実現される。ボタンが押下されている場合、ＭＩＣの２つの端部に電圧は存在しない。なぜなら、ＭＩＣは短絡するからである。ボタンが押下されていない場合、ＭＩＣの２つの端部の回路中に電圧が存在する。故に、携帯電話又はコンピュータなどの端末デバイスの中にイヤホンが挿入される場合、当該端末デバイスは、ボタンが押下されているかどうかをＭＩＣの２つの端部の電圧をモニタリングすることによって判断し、それにより、対応する機能を実現する。
【０００３】
技術の継続的な発展によって、普通のイヤホンは、４−導体プラグを備えるノイズ低減イヤホンへと徐々に進歩した。４−導体プラグを備えるノイズ低減イヤホンでは、ＭＩＣ線は電力線（充電線とも称される）としても使用される必要がある。この場合において、ボタンが依然として普通のイヤホンにおける回路に従って実現される場合、並列回路の一端は電源に接続され、他端は接地されているので、ボタンが押下されたとき、電力線は接地に直接短絡し、そのことで回路のバーンアウトをもたらし、大きな潜在的リスクを引き起こす。
【０００４】
故に、当該産業において緊急に解決されるべき課題は、４−導体プラグを備えるノイズ低減イヤホンへのボタン状態をどのように検出し、更に、検出された状態に応じて、対応する機能をどのように実現するかということである。
【発明の概要】
【０００５】
本発明の複数の実施形態は、４−導体プラグを備えるノイズ低減イヤホンのボタン状態を検出し、更に、その検出された状態に応じて、対応する機能を実現するための、イヤホンへのボタンアクションを検出するための回路、端末、及びイヤホンを提供する。
【０００６】
第１の態様によると、本発明の実施形態はイヤホンへのボタンアクションを検出するための回路を提供する。当該回路は、第１の端部及び第２の端部が設けられた第１の抵抗と、
第１の入力端、第２の入力端、及び出力端が設けられたコンパレータであって、コンパレータの第１の入力端は第１の抵抗の第１の端部に接続され、コンパレータの第２の入力端は第１の抵抗の第２の端部に接続されている、コンパレータと、
第１の抵抗の第１の端部に接続された電源とを含み、
イヤホンは、
第１の端部及び第２の端部を含む第２の抵抗であって、イヤホンが回路に接続されたとき、第２の抵抗の第１の端部は第１の抵抗の第２の端部に接続される、第２の抵抗と、
第１の端部及び第２の端部を含むマイクＭＩＣであって、ＭＩＣの第１の端部は第２の抵抗の第１の端部に接続され、ＭＩＣの第２の端部は接地されている、ＭＩＣと、
ボタンであって、当該ボタンの２つの端部はそれぞれＭＩＣの第２の端部及び第２の抵抗の第２の端部に接続され、ボタンが押下されたとき、ボタンの２つの端部は電気的に接続される、ボタンとを含む。
【０００７】
第１の態様の第１の可能な実施例において、回路は更に、第１のアナログ・デジタル変換器ＡＤＣ及び第２のＡＤＣを含む。第１のＡＤＣは第１の抵抗の第１の端部に接続され、第２のＡＤＣは第１の抵抗の第２の端部に接続されている。
【０００８】
第２の態様によると、本発明の実施形態は、イヤホン接続口を介してイヤホンに接続可能な端末を提供する。当該端末は、
第１の端部及び第２の端部が設けられた第１の抵抗と、
第１の入力端、第２の入力端、及び出力端が設けられたコンパレータであって、コンパレータの第１の入力端は第１の抵抗の第１の端部に接続され、コンパレータの第２の入力端は第１の抵抗の第２の端部に接続され、第１の入力端と第２の入力端との電圧差が第１の閾値より大きい場合、コンパレータの出力端に制御信号を出力するよう構成される、コンパレータと、
第１の抵抗の第１の端部に接続された電源とを含み、
イヤホンは、
第１の端部及び第２の端部を含む第２の抵抗であって、イヤホンがイヤホン接続口を介して端末に接続されたとき、第２の抵抗の第１の端部は第１の抵抗の第２の端部に接続される、第２の抵抗と、
第１の端部及び第２の端部を含むマイクＭＩＣであって、ＭＩＣの第１の端部は第２の抵抗の第１の端部に接続され、ＭＩＣの第２の端部は接地されている、ＭＩＣと、
ボタンであって、当該ボタンの２つの端部はそれぞれＭＩＣの第２の端部及び第２の抵抗の第２の端部に接続され、ボタンが押下されたとき、ボタンの２つの端部は電気的に接続される、ボタンとを含み、
当該端末は更に、
制御信号を受信し、制御信号に対応する機能を実行するよう構成されるプロセッサを含む。
【０００９】
第２の態様の第１の可能な実施例において、端末は更に、
第１のアナログ・デジタル変換器ＡＤＣであって、第１のＡＤＣの入力端は第１の抵抗の第１の端部に接続され、第１のＡＤＣの出力端はプロセッサに接続されている、第１のＡＤＣと、
第２のＡＤＣであって、第２のＡＤＣの入力端は第１の抵抗の第２の端部に接続され、第２のＡＤＣの出力端はプロセッサに接続されている、第２のＡＤＣとを含み、
当該プロセッサは更に、第１のＡＤＣの出力値及び第２のＡＤＣの出力値を読み出し、第１のＡＤＣの出力値を第２のＡＤＣの出力値と比較し、第１のＡＤＣの出力値と第２のＡＤＣの出力値との差が第２の閾値より大きい場合、電源はイヤホンに充電中であると判断するよう構成される。
【００１０】
第３の態様によると、本発明の実施形態はイヤホンを提供する。当該イヤホンは、
第１の端部及び第２の端部を含む第２の抵抗であって、イヤホンがイヤホン接続口を介して端末の中に挿入されたとき、第２の抵抗の第１の端部は第１の抵抗の第２の端部に接続される、第２の抵抗と、
第１の端部及び第２の端部を含むマイクＭＩＣであって、ＭＩＣの第１の端部は第２の抵抗の第１の端部に接続され、ＭＩＣの第２の端部は接地されている、ＭＩＣと、
ボタンであって、当該ボタンの２つの端部はそれぞれＭＩＣの第２の端部及び第２の抵抗の第２の端部に接続されており、ボタンが押下されたとき、ボタンの２つの端部は電気的に接続される、ボタンとを含み、
当該端末は、
第１の端部及び第２の端部が設けられた第１の抵抗と、
第１の入力端、第２の入力端、及び出力端が設けられたコンパレータであって、コンパレータの第１の入力端は第１の抵抗の第１の端部に接続され、コンパレータの第２の入力端は第１の抵抗の第２の端部に接続され、第１の入力端と第２の入力端との電圧差が閾値より大きい場合、コンパレータの出力端に制御信号を出力するよう構成される、コンパレータと、
第１の抵抗の第１の端部に接続された電源とを含む。
【００１１】
本発明の複数の実施形態によって提供される、イヤホンへのボタンアクションを検出するための回路、端末、及びイヤホンによって、端末デバイスは、ボタン検出回路を使用してボタン状態を検出し、対応するアクションを実行する。ボタン検出回路において、ボタンが押下状態であるとき、ボタンと電源との間に抵抗が存在する。故に、電源の直接接地によって引き起こされる回路のバーンアウトは回避され、イヤホンのボタン状態の検出が実現される。
【図面の簡単な説明】
【００１２】
【図１】本発明の実施形態による、イヤホンへのボタンアクションを検出するための回路の等価回路図である。
【００１３】
【図２】本発明の別の実施形態による、イヤホンへのボタンアクションを検出するための回路の等価回路図である。
【００１４】
【図３】本発明の実施形態による、イヤホン接続口を介してイヤホンに接続可能な端末の概略構造図である。
【００１５】
【図４】本発明の別の実施形態による、イヤホン接続口を介してイヤホンに接続可能な端末の概略構造図である。
【００１６】
【図５】本発明の実施形態によるイヤホンの概略構造図である。
【００１７】
【図６】本発明の実施形態による検出方法のフローチャートである。
【発明を実施するための形態】
【００１８】
本発明の複数の実施形態の複数の目的、技術的解決法、及び利点をより明確にすべく、本発明の複数の実施形態における添付の複数の図面を参照して、本発明の複数の実施形態における複数の技術的解決法を以下に明確かつ完全に説明する。明らかに、説明される複数の実施形態は、本発明の複数の実施形態のいくつかであり、全てではない。創造的努力なしに本発明の複数の実施形態に基づいて当業者によって得られる他の全ての実施形態は、本発明の保護範囲内に含まれるものとする。
【００１９】
図１は、本発明の実施形態による、イヤホンへのボタンアクションを検出するための回路の等価回路図である。図１に示されるように、検出回路は、第１の抵抗１１、コンパレータ１２、電源１３、ボタン１４、ＭＩＣ１５、及び第２の抵抗１６を含む。第１の抵抗１１には第１の端部１１１及び第２の端部１１２が設けられており、ＭＩＣ１５には第１の端部１５１及び第２の端部１５２が設けられており、第２の抵抗１６には第１の端部１６１及び第２の端部１６２が設けられている。第１の抵抗１１の第１の端部１１１は、電源１３に接続されている。第１の抵抗１１の第２の端部１１２は、ＭＩＣ１５の第１の端部１５１及び第２の抵抗１６の第１の端部１６１に接続されている。コンパレータ１２には、第１の入力端１２１、第２の入力端１２２、及び出力端１２３が設けられている。コンパレータ１２の第１の入力端１２１は、第１の抵抗１１の第１の端部１１１に接続されている。コンパレータ１２の第２の入力端１２２は、第１の抵抗１１の第２の端部１１２に接続されている。ボタン１４の２つの端部はそれぞれ、ＭＩＣ１５の第２の端部１５２及び第２の抵抗１６の第２の端部１６２に接続されている。ボタン１４が押下されたとき、ボタン１４の２つの端部は電気的に接続される。ＭＩＣ１５の第２の端部１５２は接地されている。
【００２０】
図１を参照すると、検出回路はボタン検出回路と等価である。ボタン１４が押下状態であるとき、ＭＩＣ１５及び第２の抵抗１６は並列に接続される。ＭＩＣの抵抗値は比較的大きいので、ＭＩＣ１５及び第２の抵抗１６が並列に接続された後の並列抵抗値は、第２の抵抗１６の抵抗値とほぼ等しい。この場合、コンパレータ１２の２つの入力端はそれぞれ第１の抵抗１１の２つの端部に接続され、コンパレータ１２の２つの入力端の電圧差は、第１の抵抗１１の２つの端部の電圧差である。しかし、第１の抵抗１１の２つの端部の電圧差は、第１の抵抗１１を流れる電流に依存する。第２の抵抗１６の抵抗値が小さくなればなるほど、第１の抵抗１１を流れる電流はより強くなり、第１の抵抗１１の２つの端部の電圧差はより大きくなる。当該電圧差がある値より大きい場合、出力端１２３は、例えば、中央演算処理装置（Ｃｅｎｔｒａｌ  Ｐｒｏｃｅｓｓｉｎｇ  Ｕｎｉｔ、ＣＰＵ）といったプロセッサ（図中には示されていない）に中断信号を出力し、当該プロセッサは対応する機能を実現する。
【００２１】
ボタン１４が非押下状態のとき、第２の抵抗１６は切断されている。第１の抵抗１１における電流はＭＩＣ１５の抵抗値に依存する。ＭＩＣ１５の抵抗値は一定で比較的大きく、第１の抵抗１１を流れる電流は弱く、第１の抵抗１１の２つの端部の電圧差は小さい。この場合、コンパレータはプロセッサに中断信号を出力しない。
【００２２】
図１から分かるように、第１の抵抗１１及び第２の抵抗１６の保護に起因して、ボタン１４が押下状態であるとき、電源１３の直接接地によって引き起こされる回路のバーンアウトは回避され得る。
【００２３】
図２は、本発明の別の実施形態による、イヤホンへのボタンアクションを検出するための回路の等価回路図である。図２に示されるように、図１に示される上述の回路に基づいて、当該実施形態によって提供される検出回路は更に、第１のアナログ・デジタル変換器ＡＤＣ１７及び第２のＡＤＣ１８を含む。第１のＡＤＣ１７は第１の抵抗１１の第１の端部１１１に接続され、第２のＡＤＣ１８は第１の抵抗１１の第２の端部１１２に接続されている。
【００２４】
図２を参照すると、検出回路内のコンパレータ１２以外の複数の部分は、認識回路と等価である。直列に接続されているボタン１４及び第２の抵抗１６をＭＩＣ１５に並列に接続することによって形成される並列回路の一端が、（図中のグレーのパディングで示される）充電回路に接続されている場合、電源１３は充電回路に電力を供給するので、第１の抵抗１１を流れる電流は強く、第１の抵抗１１の２つの端部に電圧が存在する。この場合、第１の端部１１１の電圧は、第１のＡＤＣ１７の入力であり、第２の端部１１２の電圧は、第２のＡＤＣ１８の入力である。第１のＡＤＣ１７と第２のＡＤＣ１８との差が特定の値より大きい場合、このことは回路中に充電回路が存在することを示している。直列に接続されているボタン１４及び第２の抵抗１６をＭＩＣ１５に並列に接続することにより形成される並列回路の一端が、（図中のグレーのパディングで示される）充電回路に接続されていない場合、第１の抵抗１１を流れる電流は弱い。故に、第１のＡＤＣ１７と第２のＡＤＣ１８との差は非常に小さく、無視されてよい。この場合、それは回路中に充電回路が存在しないことを示している。第１のＡＤＣ１７と第２のＡＤＣ１８との差は、第１のＡＤＣ１７によって取得される２進数列と、第２のＡＤＣ１８によって取得される２進数列との差が１０進数に変換された後取得される結果として理解され得る。特定の実現プロセスにおいて、第１のＡＤＣ１７及び第２のＡＤＣ１８の両方はプロセッサに接続されてよく、プロセッサは第１のＡＤＣ１７の数値及び第２のＡＤＣ１８の数値を読み出し、比較する。
【００２５】
更に図１及び図２を参照すると、可能な実施例において、通常、点線の左側の複数のコンポーネント及び右側の複数のコンポーネントは異なるデバイス内に位置してよい。例えば、点線の左側の複数のコンポーネントは端末デバイス内に配置されてよく、点線の右側の複数のコンポーネントはイヤホン内に配置されてよい。イヤホンが端末デバイスの中に挿入されたとき、上述のボタン検出機能及び充電回路認識機能が実現される。
【００２６】
上述の実施形態においては、要件に応じて異なるＡＤＣが選択されることに留意すべきである。例えば、１２ビットのＡＤＣ又は他のビット数のＡＤＣが、第１のＡＤＣ１７及び第２のＡＤＣ１８として選択されてよい。
【００２７】
図３は、本発明の実施形態による、イヤホン接続口を介してイヤホンに接続可能な端末の概略構造図である。図３に示されるように、当該実施形態によって提供される端末１００は、第１の端部１１１及び第２の端部１１２が設けられた第１の抵抗１１と、
第１の入力端１２１、第２の入力端１２２、及び出力端１２３が設けられたコンパレータ１２であって、コンパレータ１２の第１の入力端１２１は第１の抵抗１１の第１の端部１１１に接続され、コンパレータ１２の第２の入力端１２２は第１の抵抗１１の第２の端部１１２に接続され、第１の入力端１２１と第２の入力端１２２との電圧差が閾値より大きい場合、コンパレータ１２の出力端１２３に制御信号を出力するよう構成される、コンパレータ１２と、
第１の抵抗１１の第１の端部１１１に接続された電源１３とを含み、
イヤホンは、
第１の端部１６１及び第２の端部１６２を含む第２の抵抗１６であって、イヤホンがイヤホン接続口を介して端末１００に接続されたとき、第２の抵抗１６の第１の端部１６１が第１の抵抗１１の第２の端部１１２に接続される、第２の抵抗１６と、
第１の端部１５１及び第２の端部１５２を含むマイクＭＩＣ１５であって、ＭＩＣ１５の第１の端部１５１は、第２の抵抗１６の第１の端部１６１に接続され、ＭＩＣ１５の第２の端部１５２は接地されている、ＭＩＣ１５と、
ボタン１４であって、当該ボタンの２つの端部はそれぞれＭＩＣ１５の第２の端部１５２及び第２の抵抗１６の第２の端部１６２に接続され、ボタン１４が押下されたとき、ボタン１４の２つの端部は電気的に接続される、ボタン１４とを含み、
端末１００は更に、
制御信号を受信し、制御信号に対応する機能を実行するよう構成されるプロセッサ１９を含む。
【００２８】
図４は、本発明の別の実施形態による、イヤホン接続口を介してイヤホンに接続可能な端末の概略構造図である。図４に示されるように、任意選択で、図３に示される上述の端末に基づいて、当該実施形態によって提供される端末１００は更に、
第１のアナログ・デジタル変換器ＡＤＣ１７であって、第１のＡＤＣの入力端１７１は第１の抵抗１１の第１の端部１１１に接続され、第１のＡＤＣ１７の出力端１７２はプロセッサ１９に接続されている、第１のＡＤＣ１７と、第２のＡＤＣ１８であって、第２のＡＤＣ１８の入力端１８１は第１の抵抗１１の第２の端部１１２に接続され、第２のＡＤＣ１８の出力端１８２はプロセッサ１９に接続されている、第２のＡＤＣ１８とを含む。イヤホンのタイプを識別するプロセスにおいて、プロセッサ１９は更に、第１のＡＤＣ１７の出力値及び第２のＡＤＣ１８の出力値を読み出し、第１のＡＤＣ１７の出力値を第２のＡＤＣ１８の出力値と比較し、第１のＡＤＣ１７の出力値と第２のＡＤＣ１８の出力値との差が第２の閾値より大きい場合、電源はイヤホンに充電中であると判断し、それによりイヤホンのタイプを識別するよう構成される。すなわち、第１のＡＤＣ１７の出力値と第２のＡＤＣ１８の出力値との差が第２の閾値より大きい場合、端末１００は、イヤホン内に充電回路が存在し、且つ、イヤホンはノイズ低減イヤホンであると判断し、それとは逆に、第１のＡＤＣ１７の出力値と第２のＡＤＣ１８の出力値との差が第２の閾値より大きくない場合、端末１００は、イヤホン内に充電回路は存在せず、且つ、イヤホンは、４−導体プラグを備える普通のイヤホンであると判断する。
【００２９】
図３及び図４の上述の端末の複数の動作原理は、本明細書においては更に説明されない。図１及び図２に示される実施形態が参照されてよい。
【００３０】
図５は、本発明の実施形態によるイヤホンの概略構造図である。図５に示されるように、当該実施形態によって提供されるイヤホン２００は、
第１の端部１６１及び第２の端部１６２を含む第２の抵抗１６であって、イヤホン２００がイヤホン接続口を介して端末の中に挿入されたとき、第２の抵抗１６の第１の端部１６１は第１の抵抗１１の第２の端部１１２に接続される、第２の抵抗１６と、
第１の端部１５１及び第２の端部１５２を含むマイクＭＩＣ１５であって、ＭＩＣ１５の第１の端部１５１は第２の抵抗１６の第１の端部１６１に接続され、ＭＩＣ１５の第２の端部１５２は接地されている、ＭＩＣ１５と、
ボタン１４であって、当該ボタンの２つの端部はそれぞれＭＩＣ１５の第２の端部１５２及び第２の抵抗１６の第２の端部１６２に接続されており、ボタン１４が押下されたとき、ボタン１４の２つの端部は電気的に接続される、ボタン１４とを含み、
当該端末は、第１の端部１１１及び第２の端部１１２が設けられた第１の抵抗１１と、
第１の入力端１２１、第２の入力端１２２、及び出力端１２３が設けられたコンパレータ１２であって、コンパレータ１２の第１の入力端１２１は第１の抵抗１１の第１の端部１１１に接続され、コンパレータ１２の第２の入力端１２２は第１の抵抗１１の第２の端部１１２に接続されており、第１の入力端１２１と第２の入力端１２２との電圧差が閾値より大きい場合、コンパレータ１２の出力端１２３に制御信号を出力するよう構成される、コンパレータ１２と、
第１の抵抗１１の第１の端部１１１に接続された電源１３とを含む。
【００３１】
図６は、本発明の実施形態による検出方法のフローチャートである。図１もまた参照されてよい。当該実施形態において、点線の左側の複数のコンポーネントは端末デバイス内に配置され、点線の右側の複数のコンポーネントはイヤホン内に配置される。当該解決法は、ＭＩＣ線が電力線としても使用されるイヤホンに電力を供給する端末デバイスに適用可能である。具体的には、当該実施形態は以下の複数の段階を含む。
【００３２】
１０１．イヤホンが端末デバイスの中に挿入されている状態である場合、端末デバイスは、第１の入力端と第２の入力端との電圧差を検出し、当該電圧差が、第１の閾値より大きいとき、イヤホンのボタンは押下状態であることを検出し、又はそれとは逆に、当該電圧差が第１の閾値より大きくないとき、イヤホンのボタンは非押下状態であることを検出する。
【００３３】
この段階では、端末デバイスは、ボタン検出回路を使用して、第１の抵抗の２つの端部の電圧を検出する。具体的な実現原理は本明細書では更に説明されない。図１の上述の実施形態が参照されてよい。
【００３４】
１０２．端末デバイスは、ボタン状態に応じて、対応するアクションを実行する。
【００３５】
ボタン状態を検出した後、端末デバイスは対応するアクションを実行する。例えば、端末デバイスが歌を再生中である場合にボタンが押下状態であることを検出するとき、端末デバイスは歌切り替えアクションを実行する。別の例では、端末デバイスが歌を再生中である場合に着信呼があるとき、ユーザはボタンを押下し、この場合、端末デバイスはボタンが押下状態であることを検出し、呼を接続する。加えて、早送り及び早戻しなどの機能は、ボタンが押下状態である期間、及び、押下の連続回数に応じて実現されてよい。しかしながら、本発明はそれらに限定されるものではない。
【００３６】
本発明の実施形態によって提供される検出方法において、端末デバイスはボタン検出回路を使用してボタン状態を検出し、対応するアクションを実行する。ボタン検出回路において、ボタンが押下状態であるとき、ボタンと電源との間に抵抗が存在する。故に、電源の直接接地によって引き起こされる回路のバーンアウトは回避され、イヤホンのボタン状態の検出が実現される。
【００３７】
更に、図６に示される当該実施形態では、イヤホンは、例えば、ノイズ低減機能を備えるノイズ低減イヤホンであってよい。端末デバイスは、ノイズ低減イヤホン内でノイズ低減機能を実現するためのモジュールに電力を供給する必要があるので、ノイズ低減イヤホンは、ＭＩＣ線を電力線としても使用するイヤホンである。この場合、イヤホンのタイプを区別すべく、端末デバイスには更にイヤホン検出回路が提供されてよい。イヤホン検出回路は、第１のアナログ・デジタル変換器ＡＤＣ及び第２のＡＤＣを含む。第１のＡＤＣは第１の抵抗の第１の端部に接続され、第２のＡＤＣは第１の抵抗の第２の端部に接続されている。イヤホンが端末デバイスの中に挿入されている状態の場合、端末デバイスは、第１のＡＤＣと第２のＡＤＣとの差が第２の閾値より大きいかどうかを判断し、当該差が第２の閾値より大きいとき、イヤホンのタイプがノイズ低減イヤホンであることを検出し、又はそれとは逆に、当該差が第２の閾値より大きくないとき、イヤホンのタイプがノイズ低減イヤホンではないことを検出する。具体的には、図２に示される上述の回路が参照されてよく、本明細書では更なる説明は提供されない。
【００３８】
任意選択で、図６に示される上述の実施形態において、電源は５ボルトの電源であり、第１の抵抗の抵抗値は１０オームであり、第１の閾値は０．５ボルトであり、第２の抵抗の抵抗値は４０オームである。検出回路がボタン検出機能を実行する場合、ボタンが押下状態であるとき、第１の抵抗を流れる電流は約５Ｖ／（１０＋４０）Ω＝０．１Ａであり、第１の抵抗の２つの端部の電圧差は１Ｖである。すなわち、第１の抵抗の２つの端部の電圧差は第１の閾値の０．１ボルトより大きい。この場合、コンパレータは第１の抵抗の２つの端部の電圧差を検出し、中断信号を生成し、コンパレータの出力端からＣＰＵへ当該中断信号を出力する。それにより、ＣＰＵは、ボタンが押下状態であることを検出し、対応するアクションを実行する。しかしながら、ボタンが非押下状態である場合は、ＭＩＣの抵抗値は比較的大きいので、第１の抵抗の抵抗値は無視されてよい。この場合、第１の抵抗を流れる電流は非常に弱い。故に、第１の抵抗の２つの端部の電圧差もまた非常に小さく、コンパレータは何ら中断信号を出力しない。
【００３９】
上述の実施形態において、本発明は第１の閾値が０．１ボルトである例を使用して詳細に説明されたが、本発明はそれに限定されるものではないことに留意すべきである。他の複数の実行可能な実施例では、第１の閾値は他の複数の値であってもよい。例えば、コンパレータの精度に応じて異なる複数の値が第１の閾値として使用されてよい。
【００４０】
更に任意選択で、図６に示される上述の実施形態は、第２の閾値、例えば１ボルト、であってよい。検出回路がイヤホン識別機能を実行するとき、すなわち、４−導体プラグを備える普通のイヤホンをノイズ低減イヤホンと区別することが必要なとき、端末デバイスは、第１のＡＤＣと第２のＡＤＣとの差を検出してイヤホン識別機能を実現する。具体的には、イヤホンがノイズ低減イヤホンである場合、端末デバイスはノイズ低減イヤホンのノイズ低減機能モジュールに充電するので、第１の抵抗を流れる電流は約１５ＭＡである。故に、第１の抵抗の２つの端部の間に電圧差が存在する。第１のＡＤＣと第２のＡＤＣとの差は約１５０ミリボルト（ＭＶ）である。すなわち、第１のＡＤＣと第２のＡＤＣとの差は第２の閾値２０ＭＶより大きい。この場合、端末デバイスは、イヤホンがノイズ低減イヤホンであることを検出する。そうでなければ、普通のイヤホンが挿入される場合、端末デバイスはイヤホンに充電する必要がない。故に、第１の抵抗を流れる電流は非常に弱く、ほとんど無視されてよい。第１のＡＤＣと第２のＡＤＣとの差はほぼ０である。この場合、端末デバイスは、イヤホンが４−導体プラグを備える普通のイヤホンであることを検出する。
【００４１】
上述の実施形態において、本発明は第２の閾値が２０ＭＶである例を使用して詳細に説明されたが、本発明はそれに限定されるものではないことに留意すべきである。他の複数の実行可能な実施例では、第２の閾値は他の複数の値であってもよい。
【００４２】
当業者ならば、複数の方法の実施形態の複数の段階の全て又はいくつかが、プログラム命令関連ハードウェアによって実現され得ることを理解するであろう。当該プログラムはコンピュータ可読記憶媒体に格納され得る。プログラムが動作するとき、方法の複数の実施形態の複数の段階は実行される。上述の記憶媒体は、プログラムコードを格納できる、ＲＯＭ、ＲＡＭ、磁気ディスク、又は光ディスクなどの任意の媒体を含む。
【００４３】
最後に、上述の複数の実施形態は、単に本発明の複数の技術的解決法を説明することが意図されているのであって、本発明を限定することが意図されているのではないことに留意すべきである。本発明は上述の複数の実施形態を参照して詳細に説明されたが、当業者であれば更に、本発明の複数の実施形態の複数の技術的解決法の範囲から逸脱することなく、上述の複数の実施形態において説明された複数の技術的解決法に対して複数の変更を施し得る、又は、これらのいくつか若しくは全ての技術的特徴に対して複数の等価な置き換えを成し得ることを理解すべきである。
［項目１］
イヤホンへのボタンアクションを検出するための回路であって、上記回路は、
第１の端部及び第２の端部が設けられた第１の抵抗と、
第１の入力端、第２の入力端、及び出力端が設けられたコンパレータであって、上記コンパレータの上記第１の入力端は、上記第１の抵抗の上記第１の端部に接続され、上記コンパレータの上記第２の入力端は、上記第１の抵抗の上記第２の端部に接続されている、コンパレータと、
上記第１の抵抗の上記第１の端部に接続された電源とを備え、
上記イヤホンは、
第１の端部及び第２の端部を備える第２の抵抗であって、上記イヤホンが上記回路に接続されたとき、上記第２の抵抗の上記第１の端部は上記第１の抵抗の上記第２の端部に接続される、第２の抵抗と、
第１の端部及び第２の端部を備えるマイクＭＩＣであって、上記ＭＩＣの上記第１の端部は、上記第２の抵抗の上記第１の端部に接続され、上記ＭＩＣの上記第２の端部は接地されている、ＭＩＣと、
ボタンであって、上記ボタンの２つの端部はそれぞれ、上記ＭＩＣの上記第２の端部及び上記第２の抵抗の上記第２の端部に接続されている、ボタンとを備え、上記ボタンが押下されたとき、上記ボタンの上記２つの端部は電気的に接続される、
回路。
［項目２］
更に第１のアナログ・デジタル変換器ＡＤＣ及び第２のＡＤＣを備え、上記第１のＡＤＣは上記第１の抵抗の上記第１の端部に接続され、上記第２のＡＤＣは上記第１の抵抗の上記第２の端部に接続されている、
項目１に記載の回路。
［項目３］
イヤホンインターフェースを介してイヤホンに接続可能な端末であって、上記端末は、
第１の端部及び第２の端部が設けられた第１の抵抗と、
第１の入力端、第２の入力端、及び出力端が設けられたコンパレータであって、上記コンパレータの上記第１の入力端は、上記第１の抵抗の上記第１の端部に接続され、上記コンパレータの上記第２の入力端は、上記第１の抵抗の上記第２の端部に接続されており、上記第１の入力端と上記第２の入力端との電圧差が第１の閾値より大きい場合、上記コンパレータの上記出力端に制御信号を出力するよう構成される、コンパレータと、
上記第１の抵抗の上記第１の端部に接続された電源とを備え、
上記イヤホンは、
第１の端部及び第２の端部を備える第２の抵抗であって、上記イヤホンが上記イヤホンインターフェースを介して上記端末に接続されたとき、上記第２の抵抗の上記第１の端部は、上記第１の抵抗の上記第２の端部に接続される、第２の抵抗と、
第１の端部及び第２の端部を備えるマイクＭＩＣであって、上記ＭＩＣの上記第１の端部は、上記第２の抵抗の上記第１の端部に接続され、上記ＭＩＣの上記第２の端部は接地されている、ＭＩＣと、
ボタンであって、上記ボタンの２つの端部はそれぞれ、上記ＭＩＣの上記第２の端部及び上記第２の抵抗の上記第２の端部に接続されており、上記ボタンが押下されたとき、上記ボタンの上記２つの端部は電気的に接続される、ボタンとを備え、
上記端末は、上記制御信号を受信し、上記制御信号に対応する機能を実行するよう構成されるプロセッサを更に備える、
端末。
［項目４］
第１のアナログ・デジタル変換器ＡＤＣであって、上記第１のＡＤＣの入力端は、上記第１の抵抗の上記第１の端部に接続され、上記第１のＡＤＣの上記出力端は、上記プロセッサに接続されている、第１のＡＤＣと、
第２のＡＤＣであって、上記第２のＡＤＣの入力端は、上記第１の抵抗の上記第２の端部に接続され、上記第２のＡＤＣの出力端は、上記プロセッサに接続されている、第２のＡＤＣとを更に備え、
上記プロセッサは、更に、上記第１のＡＤＣの出力値及び上記第２のＡＤＣの出力値を読み出し、上記第１のＡＤＣの上記出力値を上記第２のＡＤＣの上記出力値と比較し、上記第１のＡＤＣの上記出力値と上記第２のＡＤＣの上記出力値との差が第２の閾値より大きい場合、上記電源は上記イヤホンに充電中であると判断するよう構成される、
項目３に記載の端末。
［項目５］
イヤホンであって、上記イヤホンは、
第１の端部及び第２の端部を備える第２の抵抗であって、上記イヤホンがイヤホンインターフェースを介して端末に挿入されたとき、上記第２の抵抗の上記第１の端部は、第１の抵抗の第２の端部に接続される、第２の抵抗と、
第１の端部及び第２の端部を備えるマイクＭＩＣであって、上記ＭＩＣの上記第１の端部は、上記第２の抵抗の上記第１の端部に接続され、上記ＭＩＣの上記第２の端部は接地されている、ＭＩＣと、
ボタンであって、上記ボタンの２つの端部はそれぞれ、上記ＭＩＣの上記第２の端部及び上記第２の抵抗の上記第２の端部に接続されており、上記ボタンが押下されたとき、上記ボタンの上記２つの端部は電気的に接続される、ボタンとを備え、
上記端末は、
第１の端部及び上記第２の端部が設けられた上記第１の抵抗と、
第１の入力端、第２の入力端、及び出力端が設けられたコンパレータであって、上記コンパレータの上記第１の入力端は、上記第１の抵抗の上記第１の端部に接続され、上記コンパレータの上記第２の入力端は、上記第１の抵抗の上記第２の端部に接続されており、上記第１の入力端と上記第２の入力端との電圧差が閾値より大きい場合、上記コンパレータの上記出力端に制御信号を出力するよう構成される、コンパレータと、
上記第１の抵抗の上記第１の端部に接続された電源とを備える、
イヤホン。
【図１】
0006281886.tif 000002
【図２】
0006281886.tif 000003
【図３】
0006281886.tif 000004
【図４】
0006281886.tif 000005
【図５】
0006281886.tif 000006
【図６】
0006281886.tif 000007